(57)【要約】【課題】把手の意匠を容易に且つ低コストで変えることができる開口部装置を提供する。【解決手段】開口部装置１は、建物の開口に設けられる枠体２と、この枠体２内に開閉自在に設けられる戸体３とを備えている。前記戸体３には縦長の把手５が設けられ、この把手５にはその表面を覆う装飾カバー部材６が上片部６ａを引っ掛け係止し、下片部６ｂをネジ止めすることにより着脱可能に設けられている。なお、前記把手５は幅方向に三分割された把手片部７ａ，７ｂ，７ｃを有し、その中央の把手片部７ｂにその表面を覆う装飾カバー部材６が着脱可能に設けられていても良い。【選択図】　　　　　図２
2004027716.tif 000002
【特許請求の範囲】
【請求項１】
建物の開口に設けられる枠体と、この枠体内に開閉自在に設けられる戸体とを備え、前記戸体には縦長の把手が設けられ、該把手にはその表面を覆う装飾カバー部材が上片部を引っ掛け係止し、下片部をネジ止めすることにより着脱可能に設けられていることを特徴とする開口部装置。
【請求項２】
建物の開口に設けられる枠体と、この枠体内に開閉自在に設けられる戸体とを備え、前記戸体には縦長の把手が設けられ、該把手は幅方向に三分割された把手片部を有し、その中央の把手片部にはその表面を覆う装飾カバー部材が着脱可能に設けられ、該装飾カバー部材の表面が他の把手片部の表面とほぼ揃えるように形成されていることを特徴とする開口部装置。
【発明の詳細な説明】
【０００１】
【発明の属する技術分野】
本発明は、開口部装置に係り、特に把手の装飾性の向上を図った開口部装置に関する。
【０００２】
【従来の技術】
建物の開口に設けられる枠体と、この枠体内に開閉自在に設けられる戸体とを備えた開口部装置としては、例えば玄関ドア等のドア（ドア装置）がある。このドアにおいては、例えば縦長のバー状（棒状）の把手を設けてなるものが知られている。このような把手を有するドアによれば、戸体の開閉操作を容易に行うことができ、操作性の向上が図れる。
【０００３】
【発明が解決しようとする課題】
ところで、前記ドア（開口部装置）においては、建物への設置前（施工前）であれば、好みの外観ないし意匠の把手を選択することが可能であるが、施工後は把手自体を付け替えない限り、把手の意匠を変えることが困難であり、把手の意匠を変えるのに多くの手間およびコストを要するという問題があった。
【０００４】
本発明は、前記事情を考慮してなされたもので、把手の意匠を容易に且つ低コストで変えることができる開口部装置を提供することを目的とする。
【０００５】
【課題を解決するための手段】
本発明のうち、請求項１の開口部装置は、建物の開口に設けられる枠体と、この枠体内に開閉自在に設けられる戸体とを備え、前記戸体には縦長の把手が設けられ、該把手にはその表面を覆う装飾カバー部材が上片部を引っ掛け係止し、下片部をネジ止めすることにより着脱可能に設けられていることを特徴とする。
【０００６】
請求項２の開口部装置は、建物の開口に設けられる枠体と、この枠体内に開閉自在に設けられる戸体とを備え、前記戸体には縦長の把手が設けられ、該把手は幅方向に三分割された把手片部を有し、その中央の把手片部にはその表面を覆う装飾カバー部材が着脱可能に設けられ、該装飾カバー部材の表面が他の把手片部の表面とほぼ揃えるように形成されていることを特徴とする。
【０００７】
【発明の実施の形態】
以下に、本発明の実施の形態を添付図面に基いて詳述する。図１は本発明の実施の形態を示す開口部装置の室外側正面図、図２は同開口部装置の把手の断面図、図３は把手の斜視図である。
【０００８】
図１において、１は開口部装置として例示したドア（ドア装置）で、このドア１は建物の開口に設けられる枠体２と、この枠体２内に開閉自在に設けられる戸体３とを備えている。枠体２は、例えばアルミニウム押出形材からなる上枠２ａ、下枠２ｂおよび左右の縦枠２ｃ，２ｄからなっている。戸体３の一側（吊元側）が対向する縦枠２ｄにヒンジ４を介して連結され、戸体３がヒンジ４を支点に室外側に回動して開くようになっている。
【０００９】
戸体３は、図示例の場合、鋼板からなる室外側表面材および室内側表面材の間に形材からなる芯材を介在させると共に断熱材を発泡充填して構成される、いわゆるフラッシュドアからなっているが、これに限定されるものではない。この戸体３にはこれを開閉操作するための上下方向に長い縦長（長尺）の把手５が設けられている。このバー状の把手５は、例えば戸体３の室外面の戸先側に設けられている。なお、戸体３の室内面の戸先側にも図示しない把手が設けられていている。
【００１０】
前記把手５には、その意匠例えば色彩を変えることができるように、図２ないし図３に示すように、その表面を覆う装飾カバー部材６が着脱可能に設けられている。装飾カバー部材６は、色彩の異なるものが複数種類用意され、好みに応じて着せ替え可能になっている。装飾カバー部材６は、例えば合成樹脂により形成され、この合成樹脂に混入する顔料またはその表面に塗布する塗料によって色彩の異なるものが複数用意されている。なお、装飾カバー部材６としては、模様や材質等が異なるものが複数用意されていても良い。
【００１１】
図示例の把手５は、手で握ることができる略平板バー状で両端に脚部７ｄ，７ｄを有する断面略コ字状の把手部７と、この把手部７の長手方向両端部すなわち脚部７ｄ，７ｄを固定する一対の台座部８，８とを備えている。把手部７の両端部が台座部８に固着具例えばネジ９で固定され、台座部８が戸体３の室外面に室内側からネジ１０で固定されている。なお、把手部７は、両端に脚部７ｄ，７ｄを有していなくても良い。
【００１２】
前記把手部７の表面すなわち正面部および上下の端部（例えば端面部、以下同様。）を覆う断面略コ字状の装飾カバー部材６が係合およびネジ止めにより着脱可能に取付けられている。装飾カバー部材６は、把手５具体的には把手部７に係合およびネジ止めにより取付けられることにより、取付けや交換が容易にできると共に外れ難くなっている。
【００１３】
前記装飾カバー部材６は、一端に把手部の上端部を覆う上片部６ａを有し、他端に下端部を覆う下片部６ｂを有している。前記把手部７の上端部には係合凹部例えば幅方向に沿った係合溝部１１が形成され、前記装飾カバー部材６の一端例えば上片部６ａには係合凹部例えば係合溝部１１に係合（引っ掛け係止）する係合凸部例えば係合突条部１２が形成されている。そして、前記装飾カバー部材６の下片部６ｂが把手部７の下面部に固着具例えばネジ１３で着脱自在に固定されている。
【００１４】
また、把手部７と装飾カバー部材６の熱膨張差や外力等によって装飾カバー部材６の長手方向中間部が把手部７から離れる（浮き上がる）のを防止するために、装飾カバー部材６の中間部が把手部７にその裏側からのネジ１４で固定されている。装飾カバー部材６の中間部は、装飾カバー部材６の長さに応じて適宜箇所がネジで固定される。
【００１５】
装飾カバー部材６の中間部におけるネジの捩じ込み強度を確保するために、前記装飾カバー部材６の裏面におけるネジ止め箇所には突部１５が形成され、把手部７の正面における対応箇所には前記凸部１５が係合ないし収容される凹部１６が形成されていることが好ましい。また、把手部７の裏面にはネジ１４の頭部１４ａが出っ張らないように頭部１４ａを収容する窪み部１７が形成されていることが好ましい。前記ネジ１４の取付け取外しはＬ形の回転工具で容易に行うことができる。
【００１６】
このように構成されたドア（開口部装置）１によれば、建物の開口に設けられる枠体２と、この枠体２内に開閉自在に設けられる戸体３とを備え、前記戸体３には縦長の把手５が設けられ、この把手５にはその表面を覆う装飾カバー部材６が上片部６ａを引っ掛け係止し、下片部６ｂをネジ止めすることにより着脱可能に設けられているため、構造が簡単で、装飾カバー部材６を付け替えるだけで把手５の意匠を容易に且つ低コストで変えることができる。すなわち、把手５の意匠を変えるのに把手全体を取替える必要が無く、装飾カバー部材６を取替えるだけで良いため、把手全体を取替える場合よりも手間およびコストがかからず、経済的であり、ドア１の施工前後を問わず例えば季節あるいは気分に応じて把手５の意匠を好みのものに選択して変えることができる。装飾カバー部材６を異なる意匠例えば色彩や模様、材質や質感のものに変えることができ、換言すれば好みの意匠のものに着せ替えることができ、意匠性の向上が図れる。
【００１７】
また、装飾カバー部材６を断面略コ字状にし、一端に形成した係合凸部例えば係合突条部１２を把手部７の一端に形成した係合凹部例えば係合溝部１１に係合させ、他端を把手部７の他端にネジ１３で止める（固定する）ようにしているため、係合とネジ止めにより装飾カバー部材６を容易に且つ確実に取付けることができ、また装飾カバー部材６の付替えないし交換が容易にでき、作業性の向上が図れる。また、装飾カバー部材６の中間部を把手部７にネジ１４で固定しているため、装飾カバー部材６の中間部の浮き上がりや反り変形を防止することができる。更に、装飾カバー部材６の把手部７に対する係合箇所を上端にし、ネジ止め箇所を下端および裏面にしているため、ネジが見えにくく、意匠性の更なる向上が図れる。
【００１８】
図４は把手の変形例を示す図で、（ａ）は正面図、（ｂ）は断面図、図５は図４の（ａ）のＡ−Ａ線拡大断面図、図６は図４の（ａ）のＢ−Ｂ線端面図である。これらの図において、前記実施例と同一ないし同様の部分には同一参照符号が付されている。開口部装置であるドア１は、建物の開口に設けられる図示しない枠体と、この枠体内に開閉自在に設けられる戸体３とを備え、この戸体３には縦長のバー状（棒状）の把手５が設けられている。
【００１９】
前記把手５は、手で握ることができるバー状の把手部７と、この把手部７の長手方向両端部を固定する一対の台座部８，８とを備え、両台座部８，８に把手部７が掛け渡されて固定されている。把手部７は戸体の例えば室外面に台座８，８を介して設けられる。把手部７は幅方向に三分割された３本の把手片部７ａ，７ｂ，７ｃからなっている。
【００２０】
把手片部７ａ，７ｂ，７ｃは幅方向に所定間隔で配置され、これら把手片部７ａ，７ｂ，７ｃの両端部が台座部８，８に固着具例えばネジ（図示省略）で固定され、台座部８，８が戸体３の例えば室外面に室内側からネジ（図示省略）で固定されている。前記把手片部７ａ，７ｂ，７ｃの裏面は、手で握り易いように断面曲面状（凸面状）に形成されていることが好ましい。なお、把手５は幅方向に完全に三分割されていなくても、表面上三分割されているようになっていても良い。
【００２１】
そして、中央の把手片部７ｂにはその表面すなわち正面部および上下の端部（例えば端面部、以下同様。）を覆う断面略コ字状の装飾カバー部材６が係合およびネジ止めにより着脱可能に取付けられている。装飾カバー部材６は、中央の把手片部７ｂに係合およびネジ止めにより取付けられることにより、取付けや交換が容易にできると共に外れ難くなっている。中央の把手片部７ｂの表面は、両側の把手片部７ａ，７ｃの表面よりも装飾カバー部材６の厚さ分だけ引っ込んで形成されており、装飾カバー部材６の表面が他の把手片部７ａ，７ｃの表面とほぼ揃えるように略面一に形成されている。装飾カバー部材６の表面が他の把手片部７ａ，７ｃの表面よりも出っ張っていないので、装飾カバー部材６を掴んで戸体３を開閉することはなく、また、装飾カバー部材６に何かが接触して装飾カバー部材６が損傷する恐れもない。
【００２２】
前記装飾カバー部材６は、一端に中央把手片部７ｂの上端部を覆う上片部６ａを有し、他端に下端部を覆う下片部６ｂを有している。前記中央把手片部７ｂの上端部には係合凹部例えば幅方向に沿った係合溝部１１が形成され、前記装飾カバー部材６の一端例えば上片部６ａには係合凹部例えば係合溝部１１に係合（引っ掛け係止）する係合凸部例えば係合突条部１２が形成されている。そして、前記装飾カバー部材６の下片部６ｂが中央把手片部７ｂの下面部に固着具例えばネジ１４で着脱自在に固定されている。
【００２３】
また、中央把手片部７ｂと装飾カバー部材６の熱膨張差や外力等によって装飾カバー部材６の長手方向中間部が中央把手片部７ｂから離れる（浮き上がる）のを防止するために、装飾カバー部材６の中間部が中央把手片部７ｂにその裏側からのネジ１４で固定されている。装飾カバー部材６の中間部は、装飾カバー部材６の長さに応じて適宜箇所がネジで固定される。
【００２４】
装飾カバー部材６の中間部におけるネジ１４の捩じ込み強度を確保するために、前記装飾カバー部材６の裏面におけるネジ止め箇所には凸部１５が形成され、中央把手片部７ｂの正面における対応箇所には前記凸部１５が係合ないし収容される凹部１６が形成されていることが好ましい。また、中央把手片部７ｂの裏面にはネジ１４の頭部１４ａが出っ張らないように頭部１４ａを収容する窪み部１７が形成されていることが好ましい。前記ネジ１４の取付け取外しはＬ形の回転工具で容易に行うことができる。
【００２５】
このように構成されたドア（開口部装置）１によれば、建物の開口に設けられる枠体と、この枠体内に開閉自在に設けられる戸体３とを備え、前記戸体３には縦長の把手５が設けられ、この把手５は幅方向に三分割された把手片部７ａ，７ｂ，７ｃを有し、その中央の把手片部７ｂにはその表面を覆う装飾カバー部材６が着脱可能に設けられ、この装飾カバー部材６の表面が他の把手片部７ａ，７ｃの表面とほぼ揃えるように形成されてているため、構造が簡単で、装飾カバー部材６を付け替えるだけで把手５の意匠を容易に且つ低コストで変えることができる。すなわち、把手５の意匠を変えるのに把手全体を取替える必要が無く、装飾カバー部材６を取替えるだけで良いため、把手全体を取替える場合よりも手間およびコストがかからず、経済的であり、ドア１の施工前後を問わず例えば季節あるいは気分に応じて把手の意匠を好みのものに選択して変えることができる。装飾カバー部材６を異なる意匠例えば色彩や模様、材質や質感のものに変えることができ、換言すれば好みの意匠のものに着せ替えることができ、意匠性の向上が図れる。
【００２６】
また、装飾カバー部材６を断面略コ字状にし、一端に形成した係合凸部例えば係合突条部１２を中央把手片部７ｂの一端に形成した係合凹部例えば係合溝部１１に係合させ、他端を中央把手片部７ｂの他端にネジ１３で止める（固定する）ようにしているため、係合とネジ止めにより装飾カバー部材６を容易に且つ確実に取付けることができ、また装飾カバー部材６の付替えないし交換が容易にでき、作業性の向上が図れる。また、装飾カバー部材６の中間部を中央把手片部７ｂにネジ１４で固定しているため、装飾カバー部材６の中間部の浮き上がりや反り変形を防止することができる。更に、装飾カバー部材６の中央把手片部７ｂに対する係合箇所を上端にし、ネジ止め箇所を下端および裏面にしたので、ネジが見えにくく、意匠性の更なる向上が図れる。また、装飾カバー部材６の表面が他の把手片部７ａ，７ｃの表面とほぼ揃えるように形成されており、開閉時に力がかかる部分以外に装飾カバー部材６を設けているので、装飾カバー部材６を直接掴んで開閉することがなくなり、通常使用時にカバー部材６が外れる恐れがない。
【００２７】
以上、本発明の実施の形態を図面により詳述してきたが、本発明は前記実施の形態に限定されるものではなく、本発明の要旨を逸脱しない範囲での種々の設計変更等が可能である。例えば、ドアは両開きドアや親子ドア等であっても良い。また、開口部装置として、ドア以外に、例えば引戸等であっても良い。
【００２８】
【発明の効果】
以上要するに本発明によれば、次のような効果を奏することができる。
【００２９】
（１）請求項１の開口部装置によれば、建物の開口に設けられる枠体と、この枠体内に開閉自在に設けられる戸体とを備え、前記戸体には縦長の把手が設けられ、該把手にはその表面を覆う装飾カバー部材が上片部を引っ掛け係止し、下片部をネジ止めすることにより着脱可能に設けられているため、装飾カバー部材を付け替えるだけで把手の意匠を容易に且つ低コストで変えることができる。
【００３０】
（２）請求項２の開口部装置によれば、建物の開口に設けられる枠体と、この枠体内に開閉自在に設けられる戸体とを備え、前記戸体には縦長の把手が設けられ、該把手は幅方向に三分割された把手片部を有し、その中央の把手片部にはその表面を覆う装飾カバー部材が着脱可能に設けられ、該装飾カバー部材の表面が他の把手片部の表面とほぼ揃えるように形成されているため、装飾カバー部材を付け替えるだけで把手の意匠を容易に且つ低コストで変えることができる。開閉時に力がかかる部分以外にカバー部材を設けているので、カバー部材を直接掴んで開閉することがなくなり、通常使用時にカバー部材が外れる恐れがない。
【図面の簡単な説明】
【図１】本発明の実施の形態を示す開口部装置の室外側正面図である。
【図２】同開口部装置の把手の断面図である。
【図３】把手の斜視図である。
【図４】把手の変形例を示す図で、（ａ）は正面図、（ｂ）は断面図である。
【図５】図４の（ａ）のＡ−Ａ線拡大断面図である。
【図６】図４の（ａ）のＢ−Ｂ線端面図である。
【符号の説明】
１　ドア（開口部装置）
２　枠体
３　戸体
５　把手
６　装飾カバー部材
６ａ　上片部
６ｂ　下片部
７ａ，７ｂ，７ｃ　把手片部
【図１】
2004027716.tif 000003
【図２】
2004027716.tif 000004
【図３】
2004027716.tif 000005
【図４】
2004027716.tif 000006
【図５】
2004027716.tif 000007
【図６】
2004027716.tif 000008